(57)【特許請求の範囲】
【請求項１】
表示面に画像を表示する表示手段と、
通信端末と通信する通信手段と、
前記通信端末の位置を検出する検出手段と、
前記通信手段と前記表示面に配置された通信端末との通信を許可する制御手段とを有し、
前記制御手段は、第１の通信端末が前記表示面に配置されたことに応じて、前記表示面に前記第１の通信端末を操作するための第１の表示オブジェクトを第１の表示形態で表示するとともに、前記第１の通信端末が配置された位置に対応する位置に前記第１の表示形態の画像を表示し、
前記制御手段は、前記第１の通信端末とは異なる第２の通信端末が前記表示面に配置されたことに応じて、前記表示面に前記第２の通信端末を操作するための第２の表示オブジェクトを前記第１の表示形態とは異なる第２の表示形態で表示するとともに、前記第２の通信端末が配置された位置に対応する位置に前記第２の表示形態の画像を表示することを特徴とする表示装置。
【請求項２】
前記表示形態は、色、模様、輝度、及び透過度の少なくとも１つを含むことを特徴とする請求項１に記載の表示装置。
【請求項３】
前記表示オブジェクトは、前記通信端末を操作するためのメニューまたは、前記通信端末に関するコンテンツの一覧画面であることを特徴とする請求項１または２に記載の表示装置。
【請求項４】
前記制御手段は、前記通信端末と、前記表示形態とを対応づけたリストを有することを特徴とする請求項１乃至３のいずれか１項に記載の表示装置。
【請求項５】
表示面に画像を表示する表示手段と、通信端末と通信する通信手段とを有する表示装置を制御する方法であって、
前記通信端末の位置を検出する検出工程と、
前記通信手段と前記表示面に配置された通信端末との通信を許可する制御工程とを有し、
前記制御工程では、第１の通信端末が前記表示面に配置されたことに応じて、前記表示面に前記第１の通信端末を操作するための第１の表示オブジェクトを第１の表示形態で表示するとともに、前記第１の通信端末が配置された位置に対応する位置に前記第１の表示形態の画像を表示し、
前記制御工程では、前記第１の通信端末とは異なる第２の通信端末が前記表示面に配置されたことに応じて、前記表示面に前記第２の通信端末を操作するための第２の表示オブジェクトを前記第１の表示形態とは異なる第２の表示形態で表示するとともに、前記第２の通信端末が配置された位置に対応する位置に前記第２の表示形態の画像を表示することを特徴とする表示装置の制御方法。
【請求項６】
前記表示形態は、色、模様、輝度、及び透過度の少なくとも１つを含むことを特徴とする請求項５に記載の表示装置の制御方法。
【請求項７】
前記表示オブジェクトは、前記通信端末を操作するためのメニューまたは、前記通信端末に関するコンテンツの一覧画面であることを特徴とする請求項５または６に記載の表示装置の制御方法。
【請求項８】
前記制御手段は、前記通信端末と、前記表示形態とを対応づけたリストを有することを特徴とする請求項５乃至７のいずれか１項に記載の表示装置の制御方法。
【請求項９】
請求項１乃至４のいずれか１項に記載の表示装置と、
前記表示装置との間で通信する複数の通信端末と、
前記表示装置との間で通信する情報処理装置と、
を有することを特徴とする表示システム。
【発明の詳細な説明】
【技術分野】
【０００１】
本発明は、表示装置、情報処理装置、及び表示システムに関する。
【背景技術】
【０００２】
従来、会議室でのプレゼンテーション資料を大画面で投影する表示装置として例えば、ディスプレイやプロジェクタが知られている。例えば、机面に投影するタイプのプロジェクタは、会議の参加者全員で投影画面をみて情報共有や、ディスッションしたりするコミニュケーションツールとして活用されている。また、ディスプレイであっても同様である。
【０００３】
特許文献１には、画像処理装置１００において、タッチパネル１０４上に携帯情報端末２００が置かれた場合、無線通信応答７０１によってこれを認識することが記載されている（特許文献１の図１０参照）。具体的には、画像処理装置１００内のコントローラ部２０１は、タッチパネル１０４上に物体が置かれた場合に発生する入力信号を検出すると、無線通信部２０６を制御し、問い合わせのＩＱパケットをブロードキャスト送信させる（特許文献１の図７参照）。コントローラ部２０１は、無線通信部２０６を制御し、タッチパネル１０４上に置かれた物体からの通信応答の有無を検知させる。コントローラ部２０１は、通信応答があれば、タッチパネル１０４上に置かれた物体が携帯情報端末２００であると判断して、処理を通信モードに遷移する。一方、コントローラ部２０１は、通信応答がなければ、タッチパネル１０４上に置かれた物体がユーザの指であると判断して、処理を操作モードに遷移する。これにより、特許文献１によれば、タッチパネル１０４への接触物が携帯情報端末かユーザの指であるかに応じた適切な表示を行うことができるとされている。
【先行技術文献】
【特許文献】
【０００４】
【特許文献１】特開２００８−１２３４７６号公報
【発明の概要】
【発明が解決しようとする課題】
【０００５】
特許文献１の技術では、コントローラ部２０１が、処理を通信モードに遷移した後に、携帯情報端末２００との間にピコネット（ポイント・トゥ・ポイント接続のネットワーク）を形成している。すなわち、特許文献１の技術では、コントローラ部２０１が、携帯情報端末２００に対して画像処理装置１００との間の通信を許可するために、無線通信部２０６を制御して、問い合わせのＩＱパケットをブロードキャスト送信することが必要ある。また、コントローラ部２０１が、無線通信部２０６を制御して、送信したものと同じＩＱパケットの受信の有無を所定の期間中検知し続ける必要がある。このため、携帯情報端末２００に対して画像処理装置１００との間の通信を許可するための処理が全体として複雑になる。
【０００６】
上記の机面に投影するタイプのプロジェクタにより画像が表示された投影画面内やディスプレイに表示された画面内に、さらに無線端末に関連した情報を表示したいとの要求がある。このとき、プロジェクタには、投影するための画像データをへ供給するＰＣ（Ｐｅｒｓｏｎａｌ  Ｃｏｍｐｕｔｅｒ）が接続されているとする。この場合、上記の要求を満たすために、ＰＣと無線端末との間の通信を許可するための複雑な認証処理が必要となる。
【０００７】
本発明の目的は、簡易な処理により、無線端末に対して通信を許可することにある。
【課題を解決するための手段】
【０００８】
本発明の１つの側面に係る表示装置は、表示面に画像を表示する表示手段と、
通信端末と通信する通信手段と、前記通信端末の位置を検出する検出手段と、前記通信手段と前記表示面に配置された通信端末との通信を許可する制御手段とを有し、前記制御手段は、第１の通信端末が前記表示面に配置されたことに応じて、前記表示面に前記第１の通信端末を操作するための第１の表示オブジェクトを第１の表示形態で表示するとともに、前記第１の通信端末が配置された位置に対応する位置に前記第１の表示形態の画像を表示し、前記制御手段は、前記第１の通信端末とは異なる第２の通信端末が前記表示面に配置されたことに応じて、前記表示面に前記第２の通信端末を操作するための第２の表示オブジェクトを前記第１の表示形態とは異なる第２の表示形態で表示するとともに、前記第２の通信端末が配置された位置に対応する位置に前記第２の表示形態の画像を表示することを特徴とする。
【発明の効果】
【０００９】
本発明によれば、簡易な処理により、無線端末に対して通信を許可することができる。
【図面の簡単な説明】
【００１０】
【図１】第１実施形態に係る表示システムの概略構成を示す図。
【図２】第１実施形における表示装置の構成を示す図。
【図３】第１実施形における情報処理装置の構成を示す図。
【図４】投影画面までの距離の算出方法を示した図。
【図５】無線端末を認証する処理の流れ図。
【図６】表示装置の投影画面に無線端末が置かれたこと状態を示す図。
【図７】第２実施形態に係る表示システムの概略構成を示す図。
【図８】第２実施形態における表示装置の構成を示す図。
【図９】第２実施形態における情報処理装置の構成を示す図。
【図１０】表示装置の投影画面のサイズを算出する処理の流れを示した図。
【図１１】無線端末を認証する処理の流れ図。
【図１２】第３実施形態における表示装置の構成を示す図。
【図１３】無線端末が制御エリアに置かれたときの処理の流れを示した図。
【図１４】表示オブジェクト及びその制御エリアを示す図。
【図１５】表示オブジェクト及びその制御エリアを示す図。
【図１６】無線端末が制御エリアに置かれたときの動作例を示した表。
【図１７】無線端末が制御エリアに置かれたときの動作例を示した表。
【図１８】第４実施形態における情報処理装置の構成を示す図。
【図１９】第５実施形態における表示装置の構成を示す図。
【図２０】処理メニュー表示処理の流れを示した図。
【図２１】通信許可端末リストの一例を示す図。
【図２２】パターンリストの一例を示す図。
【図２３】第１の表示オブジェクト及び第２の表示オブジェクトを示す図。
【図２４】第１の表示オブジェクト及び第２の表示オブジェクトを示す図。
【図２５】第６実施形態における情報処理装置の構成を示す図。
【図２６】変形例に係る表示システムの概略構成を示す図。
【図２７】変形例における表示装置の構成を示す図。
【発明を実施するための形態】
【００１１】
本発明の第１実施形態に係る表示システムＤＳ１の概略構成を、図１を用いて説明する。
【００１２】
表示システムＤＳ１は、無線端末２００、表示装置１００、情報処理装置４００、及び少なくとも３つの通信機器３０１〜３０３を備える。
【００１３】
無線端末２００は、表示装置１００や情報処理装置４００との間でデータを送受信する通信が可能な装置である。無線端末２００は、表示装置１００との間で無線ＬＡＮを介した通信が許可されれば、表示装置１００と通信を行うことが可能になる。無線端末２００は、例えば、デジタルカメラ、ビデオカメラ、ＰＤＡなどの携帯情報端末、携帯電話などの移動体通信端末、小型プリンタ、又は、ゲーム機を含む。あるいは、無線端末２００は、音声、画像、制御データなどをやりとりする他の装置であってもよい。
【００１４】
表示装置１００は、画像データに従って変調された光を投影することにより、投影画面（表示画面）００１を形成し、画像データに応じた画像を投影画面００１に表示する。表示装置１００は、例えば、プロジェクタを含む。画像データは、例えば、表示装置本体の記憶部（ストレージ）に記憶されている、あるいは、情報処理装置４００から無線ＬＡＮを介して表示装置１００が画像データを受信してその記憶部に格納したものである。
【００１５】
情報処理装置４００は、例えばパソコンなどであり、表示装置１００との間で無線ＬＡＮを介して表示すべき画像の画像データを表示装置１００へ送信する。また、ＶＧＡケーブルなどを介しても、ＵＳＢケーブルを介しても良く、他のどのような通信手段で画像データを転送できればよい。
【００１６】
各通信機器３０１〜３０３は、投影画面（表示画面）００１の周囲に配されている。各通信機器３０１〜３０３は、表示装置１００との間で通信が許可されている。各通信機器３０１〜３０３は、例えば、無線ＬＡＮにおけるアクセスポイントを含む。表示装置１００は、無線ＬＡＮを介して各通信機器３０１〜３０３と通信を行うことが可能である。
【００１７】
次に、表示装置１００の構成を、図２を用いて説明する。
【００１８】
表示装置１００は、制御部１０１、メモリ１０２、記憶部１１０、画像処理部１０３、投影制御部（表示手段）１０４、距離検出部１０５、投影レンズ位置検出部１０６、画像入力部１０７、通信部１２０、及び入力制御部１３０を備える。表示装置１００は、撮像部１４１、及び信号処理部１４２を備える。
【００１９】
制御部１０１は、ＳＲＡＭ、ＤＲＡＭ等からなるメモリ１０２と協働して制御バス１５０を介して表示装置１００における各部を制御するものである。メモリ１０２は、データやプログラムを一時的に記憶する。メモリ１０２は、制御部１０１の作業領又はバッファ領域として機能する。
【００２０】
記憶部１１０は、電源がきれた場合でも消去しないデータやプログラムを記憶する。記憶部１１０は、投影画面００１に表示すべき画像データも記憶する。記憶部１１０には、位置検出プログラム１１１、投影サイズ算出プログラム１１２、物体識別プログラム１１３が記憶されている。位置検出プログラム１１１は、無線ＬＡＮを介した通信機能を搭載している無線端末の位置を検出するためのプログラムである。投影サイズ算出プログラム１１２は、投影制御部１０４により投影中の投影画面のサイズを算出するためのプログラムである。物体識別プログラム１１３は、無線端末が投影画面００１に接触したか否かを判別するためのプログラムである。なお、記憶部１１０には、他にもＯｐｅｒａｔｉｏｎ  Ｓｙｓｔｅｍ、投影制御、画像制御、無線ＬＡＮ制御などのプログラムが記憶されている。
【００２１】
制御部１０１は、画像処理部１０３を制御することで、画像データにおける各画素の色合いや輝度などを調整する。画像処理部１０３は、調整後の画像データを投影制御部１０４へ供給する。
【００２２】
制御部１０１は、更に投影制御部１０４を制御することにより、レンズ駆動、ランプＯＮ／ＯＦＦなどの制御を行う。これにより、投影制御部１０４は、表示画面に画像を表示する。すなわち、投影制御部１０４は、画像データに従って変調された光を投影することにより、投影画面（表示画面）００１を形成し、画像データに応じた画像を投影画面００１に表示する。
【００２３】
また、投影制御部１０４は、例えば、赤外線センサーなどを備えた距離検出部１０５を制御することにより、表示装置１００から投影画面００１までの距離を検出する。投影制御部１０４は、投影レンズ位置検出部１０６から定期的に送られてくるレンズの位置情報を取得することが可能である。
【００２４】
画像入力部１０７は、例えば、接続されたＶＧＡケーブルを介して情報処理装置４００等の外部機器から受信した画像データを受信するためのインターフェースである。画像入力部１０７は、受信した画像データを画像処理部１０３へ供給する。
【００２５】
また、制御部１０１は、通信部１２０を制御することにより、無線ＬＡＮ規格に適合したパケットを送受信することが可能である。すなわち、通信部１２０は、通信を行う。通信部１２０は、アンテナ１２３、ベースバンド部１２１、及びＲＦ部１２２を含む。不図示の基地局から伝送されてくる無線信号をアンテナ１２３により受信し、受信された信号がＲＦ部１２２に入力される。ＲＦ部１２２は、例えば、高周波増幅器、周波数変換器、及び復調器を含む。ＲＦ部１２２は、アンテナ１２３から入力された信号を低雑音増幅器で低雑音増幅する。増幅後の信号は、ベースバンド部１２１により受信ベースバンド信号に周波数変換される。変換後の信号は、ＲＦ部１２２により復調される。
【００２６】
入力制御部１３０では、リモコン１３１、キーボード１３２、マウス１３３などの入力デバイスからの入力信号を受信し制御部１０１へ供給する。制御部１０１は、入力信号に応じた適切な処理を実行する。
【００２７】
撮像部１４１は、被写体を撮像して画像信号を生成して信号処理部１４２へ供給する。信号処理部１４２は、供給された画像信号を処理して画像データを生成する。さらに、信号処理部１４２は、記憶部１１０に対して画像データを読み書きする。例えば、信号処理部１４２は、記録時において画像データを周知の符号化方式で符号化することにより圧縮画像データを生成して記憶部１１０に送信する、再生時において周知の符号化方式で圧縮画像データを復号化することにより画像データを読み出す。信号処理部１４２は、読み出した画像データを投影制御部１０４へ供給する。
【００２８】
また、制御部１０１は、さらに以下の機能を有する。後述のように、無線端末２００の位置を検出する機能。検出された無線端末２００の位置に従って、無線端末２００が表示画面００１に接触したか否かを判別する機能。無線端末２００が表示画面００１に接触したと判別された場合、通信部１２０による無線端末２００との間の通信を許可する機能。
【００２９】
これにより、予め無線端末２００の情報を登録することなく、無線端末２００に対する通信を許可することができる。また、問い合わせのＩＱパケットをブロードキャスト送信したり、送信したものと同じＩＱパケットの受信の有無を所定の期間中検知することなく、無線端末２００に対する通信を許可することができる。すなわち、簡易な処理により、無線端末に対して通信を許可することができる。
【００３０】
制御部１０１は、投影画面００１の位置及び大きさの少なくとも一方が変更されたか否かを判別する（第２の判別）。制御部１０１は、投影画面００１の位置及び大きさの少なくとも一方が変更されたと判別された場合、変更後の投影画面００１に合うように、判別に用いるべき表示画面の情報を変更する。
【００３１】
これにより、制御部１０１は、実際の投影画面００１に合った表示画面の情報を用いて、無線端末２００が表示画面００１に接触したか否かを判別できる。この結果、無線端末２００が表示画面００１に接触したか否かを判別する際の精度を向上できる。
【００３２】
次に、情報処理装置４００の構成を、図３を用いて説明する。
【００３３】
制御部４０１は、メモリ４０２と協働して、制御バス４３０を介して情報処理装置４００の各部を制御する。
【００３４】
メモリ４０２は、データやプログラムを一時的に記憶する。メモリ４０２は、制御部４０１の作業領又はバッファ領域として機能する。記憶部４０３は、電源がきれた場合でも消去しないデータやプログラムを記憶する。
【００３５】
入力制御部４１０は、キーボード４１１、マウス４１２などの入力デバイスからの入力信号を受信し制御部４０１へ供給する。制御部４０１は、入力信号に応じた適切な処理を実行する。
【００３６】
制御部４０１は、画像処理部４０６を制御することで、画像データにおける各画素の色合いや輝度などを調整する。画像処理部４０６は、調整後の画像データを表示制御部４０４へ供給する。
【００３７】
制御部４０１は、更に表示制御部４０４を制御することにより、ＶＧＡケーブルやＤＶＩケーブルなどを介して、ディスプレイなどの表示部４０５に対して画像データを表示する。
【００３８】
制御部４０１は、通信部４２０を制御することにより、無線ＬＡＮ規格に適合したパケットを送受信することが可能である。すなわち、通信部４２０は、通信を行う。ちなみに、本実施例の情報処理装置４００は、この通信部４２０から画像データを、表示装置１００の通信部１２０に送信することができる。通信部４２０は、アンテナ４２３、ベースバンド部４２１、及びＲＦ部４２２を含む。不図示の基地局から伝送されてくる無線信号をアンテナ４２３により受信し、受信された信号がＲＦ部４２２に入力される。ＲＦ部４２２は、高周波増幅器、周波数変換器、及び復調器を含む。ＲＦ部４２２は、アンテナ４２３から入力された信号を低雑音増幅器で低雑音増幅する。増幅後の信号は、ベースバンド部４２１により受信ベースバンド信号に周波数変換される。変換後の信号は、ＲＦ部４２２により復調される。
【００３９】
ここで、図４を用いて、投影サイズ算出プログラム１１２（図２参照）に従った制御部１０１による投影画面サイズの算出方法について説明する。
【００４０】
液晶画面１０４１のサイズ（例えば、長手方向の幅）をＷ０、液晶画面１０４１から投影レンズ１０４２までの距離をＦとする。また、投影レンズ１０４２から投影画面００１までの距離をＬとし、求める投影画面００１のサイズ（例えば、長手方向の幅）をＷ１とする。ここで液晶画面１０４１から投影レンズ１０４２までの距離Ｆは、投影レンズ位置検出部１０６により検出し、投影レンズ１０４２から投影画面００１までの距離Ｌは上述したように距離検出部１０５により検出する。求めるＷ１は、
Ｗ１＝Ｗ０  ×  （Ｌ  ／  Ｆ）・・・数式１
で表すことができるので、Ｗ１を算出することが可能となる。なお、液晶画面１０４１及び投影レンズ１０４２は、投影制御部１０４に含まれている。表示装置の焦点調整に用いるラインセンサの出力結果と、レンズの位置を関連付けた所定のテーブルをあらかじめ用意しておき、テーブルで換算して距離を算出しても良い。
【００４１】
次に、図５を用いて表示装置１００の投影画面に無線端末２００が置かれて認証されるまでの処理の流れを説明する。
【００４２】
表示装置１００の制御部１０１は、表示装置１００が設置されている場所を基点として、部屋の中における表示装置１００の投影画面の位置を概略的な検出エリア（無線端末の位置を検出する対象エリア）として設定する（Ｓ１０１）。これは、最初に投影している投影画面から表示装置１００本体が移動したり、レンズがシフトしたり、拡大するなどにより投影画面の位置及び大きさが変更された場合において、部屋のどの範囲ならば検出エリアとして使用してよいのかを指定するためである。範囲の指定はリモコン１３１、キーボード１３２、マウス１３３などの入力デバイスからの入力を入力制御部１３０で受信して、所定の操作画面により実施する。
【００４３】
次に、図４を用いて上述したように、距離検出部１０５により投影画面までの距離を算出する（Ｓ１０２）。制御部１０１は、投影レンズ位置検出部１０６より取得した投影レンズ位置の情報から、投影画面のサイズを投影サイズ算出プログラム１１２により算出する（Ｓ１０３）。
【００４４】
制御部１０１は、算出された投影画面の範囲の中で、詳細な検出エリア（無線端末の位置を検出する対象エリア）を設定する（Ｓ１０４）。これもＳ１０１と同様に、リモコン１３１、キーボード１３２、マウス１３３などの入力デバイスからの入力を入力制御部１３０で受信して、所定の操作画面により実施する。
【００４５】
制御部１０１は、無線端末の位置を検出するために各通信機器３０１〜３０３の位置をリモコン１３１、キーボード１３２、マウス１３３などの入力デバイスにより登録する。各通信機器３０１〜３０３は、表示画面００１の周囲に配されている（図１参照）。登録された各通信機器３０１〜３０３の位置情報はメモリ１０２に格納される（Ｓ１０６）。
【００４６】
以上のステップにより、位置を検出する準備ができたので、制御部１０１は、無線端末の位置の検出を開始する（Ｓ１０７）。表示装置１００と無線端末２００との間の通信が許可されていない状態で無線端末２００からは無線ＬＡＮの８０２．１１規格に定義されているＭＡＣフレームのビーコン信号（識別信号）が定期的に送られてくる。なお、ビーコン信号は無線伝送レートの一覧や無線チャンネルの番号、ビーコン周期などの情報を含む信号である。この信号を受信した場合には無線端末が存在すると判断することができる。Ｓ１０７では、制御部１０１が、このビーコン信号を受信するまで待ち続け（Ｓ１０７でＮ）、ビーコン信号を受けて無線端末である無線端末２００を発見した場合（Ｓ１０７でＹ）にＳ１０８へ移る。なお、各通信機器３０１〜３０３も表示装置１００と同様に無線端末２００からのビーコン信号（識別信号）を受信する。
【００４７】
具体的には、通信部１２０は、上記のビーコン信号を、無線端末２００から受信するとともに、投影画面００１の周囲に配された少なくとも３つの通信機器３０１〜３０３を介して無線端末２００から受信する。制御部１０１は、無線端末２００から通信部１２０で受信されたビーコン信号と無線端末２００から少なくとも３つの通信機器３０１〜３０３を介して通信部１２０で受信されたビーコン信号とに従って、無線端末２００の位置を検出する。
【００４８】
より具体的には、表示装置１００における制御部１０１は、通信部１２０を介して、次の処理により、無線端末２００の位置を検出する。
【００４９】
制御部１０１は、各通信機器を含む全ての機器に対して時刻あわせを行うための同期信号としてビーコン信号にタイムスタンプを入れて発信する。信号を受けた各通信機器３０１〜３０３は受信したタイムスタンプに基づいて時計を合わせる。次に、制御部１０１は、無線端末２００からのビーコン信号を受信した各通信機器３０１〜３０３と表示装置１００で受信した時刻を記録しておく。
【００５０】
各通信機器の座標と表示装置１００の座標とをそれぞれＰ１、Ｐ２、・・Ｐｎとし、それぞれの通信機器が無線端末２００から受信した時刻をｔ１、ｔ２、・・ｔｎとする。このとき、制御部１０１は、無線端末の位置Ｐを、下記の数式２及び３で表せる２乗誤差Ｅ（ｐ,  δ）を最小とする座標として求める。
【００５１】
Ｅ（ｐ、δ）＝Σεｉ・・・数式２
としてｉ＝１〜ｎについて合計したＥ（ｐ、δ）を求める。ここで、εｉは、
εｉ＝Ｗｉ｛ｃ（ｔｉ−ｔｂ＋δ）−｜ｐ−ｐｉ｜｝２・・・数式３
となる。なお、数式３において、Ｃは電波伝搬速度、Ｗｉは非負の重み付け係数、ｔｂはｔ１、ｔ２、・・ｔｎのうち基準として適当なひとつ、δは基準のクロック誤差、｜Ｘ｜はベクトルＸの大きさとする。
【００５２】
以上のように、制御部１０１は、各通信機器３０１〜３０３と表示装置１００に対して返信された到達時間の差分から、無線端末２００がどの位置に存在するかを位置検出プログラム１１１により算出する。
【００５３】
なお、以上のようなＴＤＯＡ（ｔｉｍｅ  ｄｉｆｆｅｒｅｎｃｅ  ｏｆ  ａｒｒｉｖａｌ）方式のほか、電界強度の違いから位置を検出するＲＳＳＩ（ｒｅｃｅｉｖｅｄ  ｓｉｇｎａｌ  ｓｔｒｅｎｇｔｈ  ｉｎｄｉｃａｔｏｒ）方式により位置を検出してもよい。
【００５４】
次に、制御部１０１は、表示装置１００本体が移動したり、レンズがシフトしたり、拡大するなどにより投影画面００１の位置及び大きさの少なくとも一方が変更されていないかを判別する（Ｓ１０８）。制御部１０１は、変更が発生している場合（Ｓ１０８でＹ，Ａ）、処理をＳ１０２に戻して設定をやり直し、変更が発生していない場合（Ｓ１０８でＮ）、処理をＳ１０９へ進める。なお、Ｓ１０８の処理は、説明の簡略化のためＳ１０７の後に実施していることとしているが、本来は各ステップに実行するか、あるいは別のプロセスとして実施することが望ましい。
【００５５】
制御部１０１は、検出された無線端末２００が表示画面００１に接触したか否かを判別する。具体的には、制御部１０１は、無線端末２００が、Ｓ１０４で設定した検出エリア内にあるかどうかを判別する（Ｓ１０９）。本実施例では接触したか否かを判別するようにしたが、単に、略投影範囲内に無線端末が挿入されたか否かを判別しても良い。
【００５６】
制御部１０１は、無線端末２００が投影画面００１の検出エリア内でなければ（Ｓ１０９でＮ）、処理をＳ１０８に戻し投影画面の変更をチェックする。制御部１０１は、無線端末２００が検出エリア内であれば（Ｓ１０９でＹ）、処理をＳ１１０へ進める。
【００５７】
制御部１０１は、表示装置１００の設定において、投影画面００１に置かれた場合に認証するのか、あるいは投影面の上に存在すれば認証するのかを判別する（Ｓ１１０）。すなわち、制御部１０１は、表示装置１００の設定において、無線端末２００を認証するために、ユーザの指でなく無線端末２００が投影画面００１に置かれたこと（図６参照）を識別することがさらに要求されているか否かを判別する。制御部１０１は、無線端末２００が投影画面００１に置かれたことを識別することがさらに要求されている場合（Ｓ１１０でＹ）、処理をＳ１１１へ進める。制御部１０１は、無線端末２００が投影画面００１に置かれたことを識別することがさらに要求されていない場合（Ｓ１１０でＮ）、処理をＳ１１３へ進める。
【００５８】
Ｓ１１１において、制御部１０１は、無線端末２００が置かれたことの識別を物体識別プログラム１１３にて判断する。
【００５９】
物体識別プログラム１１３では、例えば表示装置１００に備わっている撮像部により投影画面００１を一定間隔で撮像する。撮像した画像を物体識別プログラムにより監視カメラなどで使用されている不動体検出技術を使用して判別する。例えば、撮像した画像を前フレームと比較して差分があった場合に物体を識別し、識別した物体が一定時間動かない場合にはその物体はユーザの指でなく置かれた物体すなわち無線端末であると認識する。他に、識別した物体が手と無線端末に分かれた場合に、無線端末が置かれたものと判断することも可能である。また、表示装置１００が天井に吊り下げられている場合には、通信機器３つと合わせて３次元で無線端末の位置を特定できるので、無線端末が置かれていることを特定可能である。あるいは、ビームフォーミングで無線端末の測位を行っても良い。
【００６０】
制御部１０１は、無線端末が置かれたことを識別できた場合（Ｓ１１１でＹ）、処理をＳ１１３へ進め、無線端末が置かれたことを識別できなかった場合（Ｓ１１１でＮ）、処理をＳ１０８に戻す。
【００６１】
表示装置１００の画像データを投影画面００１に投影している場合には、無線端末２００との通信相手が表示装置となり、情報処理装置４００からの画像を受信して投影している場合は、無線端末２００との通信相手は情報処理装置４００であると考えられる。そこで、制御部１０１は、無線端末２００と通信すべき相手が、表示装置１００であるか、情報処理装置４００であるかを判断する（Ｓ１１３）。制御部１０１は、無線端末２００と通信すべき相手が表示装置１００である場合（Ｓ１１３でＹ）、処理をＳ１１４へ進め、無線端末２００と通信すべき相手が情報処理装置４００である場合（Ｓ１１３でＮ）、処理をＳ１１５へ進める。
【００６２】
Ｓ１１４において、制御部１０１は、通信部１２０による無線端末２００との間の通信を許可する。すなわち、制御部１０１は、通信部１２０を制御して、無線ＬＡＮの８０２．１１規格に定義されているＭＡＣフレームのプローブ要求信号、認証信号などの一連の設定信号を無線端末２００との間でやり取りする。これにより、制御部１０１は、無線端末２００と通信可能な状態にセットアップする（Ｓ１１４）。以後は通常の無線機器間での認証方法により通信を行う。
【００６３】
Ｓ１１５において、制御部１０１は、通信部１２０による情報処理装置４００を介した無線端末２００との間の通信を許可する。すなわち、通信部１２０は、情報処理装置４００との間で通信が既に許可されている。制御部１０１は、通信部１２０を制御して、情報処理装置４００に対して、無線端末２００との通信を許可する信号を送信する。なお、情報処理装置４００と表示装置１００はあらかじめコネクションが確立されており、通信許可の信号は任意のコマンドを用いて行うものとする。通知を受けた情報処理装置４００は、プローブ要求信号、認証信号などの一連の設定信号を無線端末２００との間でやり取りする。これにより、情報処理装置４００は、無線端末２００と通信可能な状態にセットアップする（Ｓ１１５）。すなわち、画像データなどの通信の確率に必要なデータ以外のデータのやりとりを許可するようにするのである。
【００６４】
以上の実施形態により、無線端末を認証する際に、投影画面に無線端末を置くだけで簡単に通信が可能となるシステムを提供することが可能となる。すなわち、本実施形態によれば、簡単な処理で無線端末と表示装置との接続を確立することができる。
【００６５】
なお、本実施形態では認証の方法に関して、ＭＡＣフレームで行ったが、ＭＡＣレイヤでは認証を完了しておき、上位のプロトコルレイヤで通信の許可を判定しても良い。また、無線端末２００は、複数あっても適用可能である。表示画面００１の周囲に３つ以上の通信機器３０１〜３０３が配されてない場合においても、表示装置において位置を検出することは可能である。また、本実施例では、表示装置として、プロジェクタを使用する例について説明した。しかし、画面を表示できるものであれば、ディスプレイやテレビであっても良い。
【００６６】
次に、本発明の第２実施形態に係る表示システムＤＳ２の概略構成を、図７を用いて説明する。以下では、第１実施形態と異なる部分を中心に説明する。
【００６７】
第１実施形態においては、表示装置１００により無線端末２００の位置を判別して認証を行っている。本第２実施形態においては、情報処理装置により無線端末の位置を判別して認証を行う。
【００６８】
表示システムＤＳ２は、図７に示すように、表示装置５００及び情報処理装置６００を備える。情報処理装置６００は、表示装置５００との間の通信が許可されている。情報処理装置６００は、表示装置５００へ画像データを送信する。これにより、表示装置５００は、情報処理装置６００から画像データを受信し、その受信した画像データに応じた画像を投影画面００１に投影表示する。
【００６９】
表示装置５００は、図８に示すように、記憶部５１０及び制御部５０１を備える。
【００７０】
記憶部５１０は、位置検出プログラム１１１及び物体識別プログラム１１３（図２参照）を記憶していない。位置検出プログラム及び物体識別プログラムは、後述のように、情報処理装置６００の記憶部６１０に記憶されている。
【００７１】
位置検出部、判別部、及び制御部は、後述のように、情報処理装置６００のＣＰＵ６０１に含まれている。
【００７２】
情報処理装置６００は、図９に示すように、記憶部６１０及び制御部６０１を備える。
【００７３】
記憶部６１０は、無線端末２００の位置を特定するための位置検出プログラム６１１と、無線端末２００が表示装置５００の投影画面００１におかれたかどうかを判断する物体識別プログラム６１２とを記憶している。
【００７４】
制御部６０１は、通信部（第２の通信手段）４２０を介して、表示装置５００の投影制御部１０４により画像が投影表示される投影画面（表示画面）００１を管理する。ここで、通信部４２０は、表示装置５００との間の通信が許可されている。
【００７５】
また、制御部６０１は、無線端末２００の位置を検出する。具体的には、通信部（第２の通信手段）４２０は、無線端末２００との間の通信が許可されていない状態で無線端末２００から定期的に送信されているビーコン信号を、無線端末２００から受信する。それとともに、通信部４２０は、ビーコン信号を、投影画面００１の周囲に配された少なくとも３つの通信機器３０１〜３０３を介して無線端末２００から受信する。
【００７６】
そして、制御部６０１は、検出された無線端末２００の位置と管理された表示画面００１とに従って、無線端末２００が表示画面００１に接触したか否かを判別する。
【００７７】
制御部６０１は、無線端末２００が表示画面００１に接触したと判別された場合、通信部４２０による無線端末２００との間の通信を許可する。
【００７８】
次に、図１０を用いて表示装置５００の投影サイズを算出して情報処理装置６００に通知するまでの処理の流れを説明する。
【００７９】
表示装置５００における制御部５０１は、投影している投影画面から表示装置５００の本体が移動したり、レンズがシフトしたり、拡大するなどにより投影画面の位置および大きさの少なくとも一方が変更されたかどうかを判別する（Ｓ２０１）。制御部５０１は、投影画面の位置および大きさの少なくとも一方が変更された場合（Ｓ２０１でＹ）、処理をＳ２０２へ進め、投影画面の位置および大きさの両方とも変更されていない場合（Ｓ２０１でＮ）、待ち続ける。なお、最初にプログラムが起動した場合には、すぐに次のステップを実行する。
【００８０】
制御部５０１は、第１実施形態において図４を用いて上述した処理と同様の処理により、投影画面のサイズを算出する。すなわち、Ｓ２０２及びＳ２０３では、それぞれ、図５に示すＳ１０２及びＳ１０３と同様の処理が行われる。
【００８１】
Ｓ２０４において、通信部（第１の通信手段）１２０は、投影画面の位置および大きさの情報を制御部５０１から受ける。通信部１２０は、投影画面の位置および大きさの情報を情報処理装置６００へ送信する。
【００８２】
次に、図１１を用いて情報処理装置６００がデジタルカメラを認証するまでの処理の流れを説明する。
【００８３】
あらかじめ表示装置５００と情報処理装置６００とは無線通信可能な状態であって、情報処理装置６００から表示装置５００の位置がわかるように設定済みであるものとする。情報処理装置６００の制御部６０１は、表示装置５００が設置されている場所を基点として、部屋の中における表示装置５００の投影画面の位置を概略的な検出エリアとして、情報処理装置６００のアプリケーションにより設定する（Ｓ３０１）。これは、最初に投影している投影画面から表示装置５００本体が移動したり、レンズがシフトしたり、拡大するなどにより投影画面の位置及び大きさの少なくとも一方が変更された場合において、部屋のどの範囲ならば検出エリアとして使用してよいのかを指定するためである。範囲の指定は情報処理装置６００に接続されているキーボード６３１、マウス６３２などの入力デバイスからの入力を入力制御部６３０で受信して、所定の操作画面により実施する。
【００８４】
次に、制御部６０１は、無線端末の位置を検出するために、各通信機器３０１〜３０３の位置の情報をキーボード６３１、マウス６３２などの入力デバイスから受けてメモリ６０２に登録する（Ｓ３０２）。すなわち、登録された各通信機器３０１〜３０３の位置情報はメモリ６０２に格納される。
【００８５】
制御部６０１は、設定が終わった後、表示装置５００から投影画面の情報を通信部（第２の通信手段）４２０により受信していない場合（Ｓ３０３でＮ）、待ち続ける。制御部６０１は、表示装置５００から投影画面の情報を受信した場合（Ｓ３０３でＹ）、処理をＳ３０４へ進める。
【００８６】
制御部６０１は、受信された投影画面の情報に応じて、投影画面の範囲の中で、詳細な検出エリア（無線端末の位置を検出する対象エリア）を設定する（Ｓ３０４）。設定は入力デバイスから入力制御部６３０を介して実施する。
【００８７】
以上のステップにより、位置を検出する準備ができたので、制御部１０１は、位置検出プログラム１１１に従って、無線端末の位置の検出を開始する（Ｓ３０５）。
【００８８】
具体的には、通信部４２０は、ビーコン信号を、無線端末２００から受信するとともに、投影画面００１の周囲に配された少なくとも３つの通信機器３０１〜３０３を介して無線端末２００から受信する。制御部６０１は、無線端末２００から通信部４２０で受信されたビーコン信号と無線端末２００から少なくとも３つの通信機器３０１〜３０３を介して通信部４２０で受信されたビーコン信号とに従って、無線端末２００の位置を検出する。
【００８９】
次に、制御部６０１は、検出された無線端末２００の位置に従って、無線端末２００が表示画面００１に接触したか否かを判別する。具体的には、制御部６０１は、無線端末２００が、Ｓ３０４で設定した検出エリア内にあるかどうかを判別する（Ｓ３０６）。判別の方法は、図５に示すＳ１０９と同様である。
【００９０】
制御部６０１は、無線端末２００が投影画面００１の検出エリア内でなければ（Ｓ３０６でＮ）、処理をＳ３０３に戻し投影画面の変更をチェックする。制御部１０１は、無線端末２００が検出エリア内であれば（Ｓ３０６でＹ）、処理をＳ３０７へ進める。
【００９１】
制御部６０１は、表示装置５００の設定において、無線端末２００を認証するために、ユーザの指でなく無線端末２００が投影画面００１に置かれたこと（図６参照）を識別することがさらに要求されているか否かを判別する（Ｓ３０７）。制御部６０１は、無線端末２００が投影画面００１に置かれたことを識別することがさらに要求されている場合（Ｓ３０７でＹ）、処理をＳ３０８へ進める。制御部６０１は、無線端末２００が投影画面００１に置かれたことを識別することがさらに要求されていない場合（Ｓ３０７でＮ）、処理をＳ３０９へ進める。
【００９２】
Ｓ３０８において、制御部６０１は、無線端末２００が置かれたことの識別を物体識別プログラム６１２にて判断する。処理の具体的な内容は、図５に示すＳ１１１と同様である。制御部６０１は、無線端末が置かれたことを識別できた場合（Ｓ３０８でＹ）、処理をＳ３０９へ進め、無線端末が置かれたことを識別できなかった場合（Ｓ３０８でＮ）、処理をＳ３０３に戻す。
【００９３】
Ｓ３０９において、制御部６０１は、通信部４２０による無線端末２００との間の通信を許可する。
【００９４】
次に、本発明の第３実施形態に係る表示システムＤＳ１ｉを説明する。以下では、第１実施形態と異なる部分を中心に説明する。
【００９５】
表示システムＤＳ１ｉは、表示装置１００ｉを備える。表示装置１００ｉは、図１２に示すように、投影制御部１０４ｉ、記憶部１１０ｉ、及び制御部１０１ｉを備える。
【００９６】
投影制御部１０４ｉは、表示画面００１（図１参照）内（表示画面内）に、所定の手段又は装置が関連付けられた表示オブジェクトを表示する。
【００９７】
記憶部１１０ｉは、表示オブジェクト管理プログラム１１４ｉを記憶している。表示オブジェクト管理プログラム１１４ｉは、投影制御部１０４ｉが投影画面００１上に投影している表示オブジェクトを管理するためのプログラムである。表示オブジェクト管理プログラム１１４ｉは、例えば、表示オブジェクトの位置情報から、オブジェクト投影位置に無線端末の置かれた場合に、オブジェクトの種類、無線端末の種類、無線端末の状態に応じて様々な動作を行うためのプログラムである。
【００９８】
制御部１０１ｉは、検出された無線端末２００の位置に従って、無線端末２００が、表示画面００１内における表示オブジェクトを含む制御エリアに重なっているか否かを判別する。
【００９９】
制御部１０１ｉは、検出された無線端末２００の位置に従って、無線端末２００が制御エリアに重なったと制御部１０１ｉにより判別された場合、次のような制御を行う。制御部１０１ｉは、無線端末２００及び表示オブジェクトに関連した動作を行うように、無線端末２００及び所定の手段又は装置を制御する。ここで、無線端末２００に関連した動作は、無線端末２００の種類と無線端末２００の状態との少なくとも一方に関連した動作を含む。表示オブジェクトに関連した動作は、所定の手段又は装置の種類と所定の手段又は装置の状態との少なくとも一方に関連した動作を含む。
【０１００】
例えば、所定の手段又は装置が投影制御部（表示手段）１０４ｉを含む場合を考える。制御部１０１ｉは、検出された無線端末２００が制御エリアに重なったと判別された場合、次のような制御を行う。制御部１０１ｉは、通信部１２０が無線端末２００からデータを受信し、投影制御部（表示手段）１０４ｉがその受信されたデータに応じた画像を表示画面００１に投影表示するように制御する。
【０１０１】
例えば、所定の手段又は装置が記憶部（記憶手段）１１０ｉを含む場合を考える。制御部１０１ｉは、検出された無線端末２００が制御エリアに重なったと判別された場合、次のような制御を行う。制御部１０１ｉは、通信部１２０が無線端末２００からデータを受信し、記憶部（記憶手段）１１０ｉがその受信されたデータを記憶するように制御する。
【０１０２】
例えば、所定の手段又は装置が情報処理装置４００を含む場合を考える。制御部１０１ｉは、検出された無線端末２００が制御エリアに重なったと判別された場合、次のような制御を行う。制御部１０１ｉは、通信部１２０が無線端末２００からデータを受信し、通信部１２０がその受信されたデータを情報処理装置４００へ送信するように制御する。
【０１０３】
制御部１０１ｉは、投影画面の位置及び大きさの少なくとも一方が変更されたか否かを判別する。そして、制御部１０１ｉは、投影画面の位置及び大きさの少なくとも一方が変更されたと判別された場合、変更後の投影画面に合うように、用いるべき制御エリアの情報を変更する。
【０１０４】
次に、図１３を用いて無線端末２００が、投影画面００１に表示しているオブジェクトによって規定される制御エリアに配置されたときに、表示装置１００ｉ、または情報処理装置４００とデータ送受信等の動作処理を行う流れを説明する。
【０１０５】
制御部１０１ｉは、通信許可が与えられた無線端末２００が、投影画面００１内における表示オブジェクトの制御エリア内に存在しているかどうか（制御エリアに重なったかどうか）を判別する（Ｓ４１６）。
【０１０６】
ここで、投影されている表示オブジェクトとは、投影画面００１に表示装置１００ｉの画像データを投影している場合であれば、例えば図１４に示した表示オブジェクト００２である。これらの表示オブジェクト００２は表示オブジェクト管理プログラム１１４ｉによって生成され、投影制御部１０４ｉを介して投影画面００１に投影表示される。この場合の制御エリアとは、表示オブジェクトの種類に応じてそれぞれ規定されている範囲である。表示オブジェクト管理プログラム１１４ｉは、位置検出プログラム１１１によって取得される無線端末２００がこの制御エリアの範囲内であるか否かを判断して、その後の処理を行うかどうかを判定する。なお、図１４に示した表示オブジェクト００２であれば、制御エリアは表示オブジェクト００２がそれぞれ投影表示されている場所とすることができる。
【０１０７】
また、投影画面００１に情報処理装置４００からの画像を投影している場合であれば、投影されている表示オブジェクトとは、例えば図１５に示した各種アイコンやウィンドウ００３〜００５である。これらの表示オブジェクト００３〜００５は、情報処理装置４００からの画像に含まれていたものであり、投影制御部１０４ｉを介して投影画面００１に投影表示される。このとき、制御部１０１ｉは、表示オブジェクト管理プログラム１１４ｉに応じて、情報処理装置４００からの画像とは別に、表示オブジェクトの種類、位置に関する情報を取得することで、現在投影画面００１に表示投影中の表示オブジェクトの情報を管理している。この場合の制御エリアとは、前述のように表示オブジェクトの種類に応じてそれぞれ規定される範囲である。ここで、例えばプリンタアイコン００４においては、無線端末２００を置いた時に検出しやすいように、図１５に示す制御エリア００６のように、プリンタアイコン００４の表示範囲よりも大きめに設定してもよい。この場合でも、表示オブジェクト管理プログラム１１４ｉは、位置検出プログラム１１１によって取得される無線端末２００の位置に従って無線端末２００がこの制御エリアの範囲内であるか否かを判断して、その後の処理を行うかどうかを判定する。
【０１０８】
制御部１０１ｉは、無線端末２００が表示オブジェクトの制御エリア内に存在すると判別した場合（Ｓ４１６でＹ）、処理をＳ４１７へ進める。制御部１０１ｉは、無線端末２００が表示オブジェクトの制御エリア内に存在すると判別した場合（Ｓ４１６でＮ）、処理をＳ４１６へ進める。
【０１０９】
制御部１０１ｉは、無線端末２００が投影画面００１に接触した場合にその後の処理を行うのか、それとも投影画面の上に存在すればその後の処理を行うのかを、表示装置１００ｉの設定において判別する（Ｓ４１７）。
【０１１０】
制御部１０１ｉは、投影画面００１に接触した場合にその後の処理を行う場合（Ｓ４１７でＹ）、ユーザの指でなく無線端末２００が投影画面００１に接触したことを物体識別プログラム１１３により検出する（Ｓ４１８）。この処理は、図５に示すＳ１１１における処理と同様である。制御部１０１ｉは、無線端末２００が投影画面００１に接触していることを検出できた場合（Ｓ４１８でＹ）、処理をＳ４１９へ進め、無線端末２００が投影画面００１に接触していることを検出できなかった場合（Ｓ４１８でＮ）、処理をＳ４１６へ進める。
【０１１１】
Ｓ４１９において、制御部１０１ｉは、無線端末２００及び表示オブジェクトに関連した動作を行うように、無線端末２００及び所定の手段又は装置を制御する。例えば、制御部１０１ｉは、無線端末２００が存在する制御エリアに関連付けられた表示オブジェクトの種類や無線端末２００の状態などに応じた処理を行う。
【０１１２】
図１４に示したように、表示装置１００ｉの画像データを投影している投影画面００１に無線端末２００を接触させる場合であれば、制御部１０１ｉは、表示オブジェクト管理プログラム１１４ｉによって、次のような処理を行う。制御部１０１ｉは、図１６に示した表のように、各種条件に応じて無線端末２００と表示装置１００ｉとの間での処理を行う。
【０１１３】
また、図１５に示したように、情報処理装置４００からの画像データを投影している投影画面００１に無線端末２００を接触させる場合であれば、制御部１０１ｉは、表示オブジェクト管理プログラム１１４ｉによって、次のような処理を行う。制御部１０１ｉは、図１７に示した表のように、各種条件に応じて無線端末２００と情報処理装置４００との間での処理を行う。
【０１１４】
なお、図１６及び図１７によって示した各種条件に応じた処理は一例であり本実施形態を限定するものではない。
【０１１５】
例えば、情報処理装置内のフォルダを示すアイコンの制御エリアに無線端末が接触した場合、情報処理装置と無線端末との間でデータの送受信を行ったりデータの同期をとったりするように処理してもよい。
【０１１６】
例えば、プリンタを示すアイコンの制御エリアに無線端末が接触した場合、無線端末からプリンタへデータを送信してそのデータの印刷又は印刷予約を行うように処理しても良い。あるいは、同じ画像ならその印刷枚数を指定する（何度も画像を送らない）ように処理しても良い。
【０１１７】
例えば、情報処理装置内のデスクトップの制御エリアに無線端末が接触した場合、デスクトップのスクリーンキャプチャを行ったり、無線端末用のフォルダ生成及び表示（ショートカットになっていて、データが入れられると自動転送）するように処理しても良い。
【０１１８】
例えば、無線端末が携帯電話であれば、ブラウザアイコン上の携帯電話を配置させることで双方のブックマークのインポート、エクスポートを行う構成が考えられる。すなわち、ブラウザの制御エリアに無線端末が接触した場合、お気に入りのインポート又はエクスポートを行うように処理しても良い。あるいは、無線端末の情報を表示するホームページが開く（通信装置側から表示装置へURLを転送）ように処理しても良い。
【０１１９】
例えば、表示装置（プロジェクタ）で何らかのキャラクタ等を投影し、そのキャラクタ等の制御エリアに無線端末が接触した場合、無線端末からキャラクタに関連する情報（ゲームデータ等）を表示装置又は情報処理装置へ送信するように処理しても良い。
【０１２０】
例えば、IPフォンを示すアイコンの制御エリアに無線端末（携帯電話）が接触した場合、その無線端末をIPフォン用の電話機として使えるように処理しても良い。。
【０１２１】
例えば、投影中のデスクトップ領域に配置させることで、情報処理装置が現在表示中の画面を受信して携帯電話側のディスプレイで表示するといった構成も考えられる。
【０１２２】
その他にも無線端末が情報処理装置と同等の機能を持ったＰｅｒｓｏｎａｌ  Ｄｉｇｉｔａｌ  Ａｓｓｉｓｔａｎｔ（以下ＰＤＡ）であれば、次の処理も考えられる。投影中のデスクトップ領域に配置させることで、現在ＰＤＡで起動中のアプリケーションと同様の機能を持つアプリケーションを情報処理装置側でも起動させ、情報処理装置はＰＤＡから現在ＰＤＡのアプリケーションが使用中のデータを受信する。そして、受信したデータを情報処理装置のアプリケーションで処理することで、情報処理装置とＰＤＡの動作状態を同等のものにするといった構成も考えられる。
【０１２３】
このように、本実施形態では、無線端末の種類、状態、無線端末を配置する投影中の表示オブジェクトの種類によって、様々な構成が可能となる。すなわち、本実施形態によれば、投影装置によって投影画面に表示されたオブジェクトに関連した処理を、無線端末を投影画面に置くという動作で行うことが可能になる。これにより、ユーザは簡単な操作で投影装置と無線端末との間のデータのやり取りを行うことができる。
【０１２４】
次に、本発明の第４実施形態に係る表示システムＤＳ２ｉを説明する。以下では、第２実施形態及び第３実施形態と異なる部分を中心に説明する。
【０１２５】
表示システムＤＳ２ｉは、情報処理装置６００ｉを備える。情報処理装置６００ｉは、図１８に示すように、記憶部６１０ｉ、プリンタ（印刷手段）６４０ｉ、及び制御部６０１ｉを備える。
【０１２６】
記憶部６１０ｉは、表示オブジェクト管理プログラム６１３ｉを記憶している。表示オブジェクト管理プログラム６１３ｉは、投影制御部１０４が投影画面００１上に投影している表示オブジェクトを管理するためのプログラムである。表示オブジェクト管理プログラム６１３ｉは、例えば、表示オブジェクトの位置情報から、オブジェクト投影位置に無線端末の置かれた場合に、オブジェクトの種類、無線端末の種類、無線端末の状態に応じて様々な動作を行うためのプログラムである。
【０１２７】
プリンタ６４０ｉは、制御部６０１ｉから印刷指示及び印刷すべきデータを受けた際に、印刷指示に応じて、印刷すべきデータを印刷する。
【０１２８】
制御部６０１ｉは、所定の手段又は装置が関連付けられた表示オブジェクトを表示画面００１内に表示するように、通信部４２０を介して表示装置１００における投影制御部１０４を制御する。
【０１２９】
また、制御部６０１ｉは、検出された無線端末２００の位置と管理された表示画面００１とに従って、無線端末２００が表示画面００１内における表示オブジェクトを含む制御エリアに重なったか否かを判別する。
【０１３０】
制御部６０１ｉは、無線端末２００が制御エリアに重なったと判別された場合、無線端末２００及び表示オブジェクトに関連した動作を行うように、無線端末２００及び所定の手段又は装置を制御する。
【０１３１】
例えば、所定の手段又は装置が表示装置１００における投影制御部（表示手段）１０４を含む場合を考える。制御部６０１ｉは、位置検出部６０１ａにより検出された無線端末２００が制御エリアに重なったと判別された場合、次のような制御を行う。制御部６０１ｉは、通信部４２０が無線端末２００からデータを受信し、通信部４２０を介して投影制御部（表示手段）１０４がその受信されたデータに応じた画像を表示画面００１に表示するように制御する。
【０１３２】
例えば、所定の手段又は装置が記憶部（記憶手段）６１０ｉを含む場合を考える。制御部６０１ｉ検出された無線端末２００が制御エリアに重なったと判別された場合、次のような制御を行う。制御部６０１ｉは、通信部４２０が無線端末２００からデータを受信し、記憶部（記憶手段）６１０ｉがその受信されたデータを記憶するように制御する。
【０１３３】
例えば、所定の手段又は装置がプリンタ（印刷手段）６４０ｉを含む場合を考える。制御部６０１ｉは、検出された無線端末２００が制御エリアに重なったと判別された場合、次のような制御を行う。制御部６０１ｉは、通信部４２０が無線端末２００からデータを受信し、プリンタ（印刷手段）６４０ｉがその受信されたデータを印刷するように制御する。
【０１３４】
次に、本発明の第５実施形態に係る表示システムＤＳ１ｊを説明する。以下では、第１実施形態と異なる部分を中心に説明する。
【０１３５】
表示システムＤＳ１ｊは、表示装置１００ｊを備える。表示装置１００ｊは、記憶部１１０ｊ、制御部１０１ｊ、及び投影制御部１０４ｊを備える。
【０１３６】
記憶部１１０ｊは、処理メニュー描画プログラム１１５ｊを記憶する。処理メニュー描画プログラム１１５ｊは、表示装置１００ｊの投影画面００１上に無線端末が置かれた場合に、無線端末と対応付けた処理メニューを表示するためプログラムである。
【０１３７】
制御部１０１ｊの制御部１０１ｃｊは、通信部１２０による複数の無線端末２００ａ，２００ｂとの間の通信を許可することができる（図２４参照）。
【０１３８】
投影制御部１０４ｊは、通信部１２０による複数の無線端末２００ａ，２００ｂとの間の通信が制御部１０１ｊにより許可された場合、制御部１０１ｊにより制御されて、次のような動作を行う。投影制御部１０４ｊは、表示画面００１内に、複数の無線端末２００ａ，２００ｂを識別する複数の第１の表示オブジェクト５００ａ１，５００ｂ１を互いに異なる形態で表示する（図２４参照）。それとともに、投影制御部１０４ｊは、複数の無線端末が関連付けられた複数の第２の表示オブジェクト５００ａ２，５００ｂ２を、それぞれ、関連付けられた無線端末の第１の表示オブジェクトと対応した形態で表示する（図２４参照）。
【０１３９】
続いて、図２０を用いて、無線端末２００が投影画面００１に接触した際の、表示装置１００ｊでの処理メニュー表示処理について説明する。
【０１４０】
制御部１０１ｊは、処理メニューを表示するモードであるか否かを判断する（Ｓ５１６）。通信許可時に処理メニューを表示するモードにするか否かは、あらかじめ表示装置１００ｊで設定しておくものとする。なお、本実施形態では、処理メニューの表示、非表示を表示装置１００ｊで設定するとしたが、無線端末２００で設定するようにしても良い。
【０１４１】
制御部１０１ｊは、処理メニューを表示するモードでない場合（Ｓ５１６でＮ）、処理を終了する。制御部１０１ｊは、処理メニューを表示するモードである場合（Ｓ５１６でＹ）、処理をＳ５１７へ進める。
【０１４２】
制御部１０１ｊは、無線端末の情報が、図２１に示される通信許可端末リストに登録済みか判定する（Ｓ５１７）。制御部１０１ｊは、無線端末の情報が登録済みならば（Ｓ５１７でＹ）、処理をＳ５１９へ進め、無線端末の情報が未登録ならば（Ｓ５１７でＮ）、処理をＳ５１８へ進める。
【０１４３】
Ｓ５１８において、制御部１０１ｊは、無線端末の情報を通信許可端末リストに登録する。登録処理で登録する色とパターン（模様）とは、無線端末ごとに判別が容易となるように、すでに通信許可端末リストで使用されている色、パターンと似たようなものは極力使用しないようにして、色、パターンを登録する。
【０１４４】
ここで、図２１に示される通信許可端末リストについて、具体的に説明する。通信許可端末リストには、無線端末を一意に識別するためのＭＡＣアドレスと、その無線端末に関連付いたメニューの色やパターン（模様）の番号を登録しておく。図２１では、色を１６進数で表し、最初の１バイトをＲのデータ、次の１バイトをＧのデータ、最後の１バイトをＢのデータとして記録している。図２１のパターンの番号は、図２２に示されるパターンリストのパターンの番号と対応付けられている。
【０１４５】
なお、本実施形態では、無線端末を一意に識別するためにＭＡＣアドレスを用いているが、無線端末を一意に認識できるデータならば、ＭＡＣアドレス以外のデータを用いても良い。また、処理メニューと対応付けるために、色の値とパターンの番号との両方を用いているが、どちらか一方を用いても良い。また、色、パターン以外にも、処理メニューの形状、輝度、透過度などを変更しても良い。
【０１４６】
次に、制御部１０１ｊは、処理メニューの色とパターンとを通信許可端末リストから検索し、処理メニューの色及びパターンを得る（Ｓ５１９）。制御部１０１ｊは、処理メニュー描画プログラム１１５ｊに従って、処理メニューを無線端末の付近に描画し（Ｓ５２０）、無線端末の上又は近傍に、同様の色及びパターンを有する処理メニューを描画するように投影し（Ｓ５２１）処理を終了する。
【０１４７】
なお、本実施形態では、処理メニューの色及びパターンと同様の色及びパターンを端末に投影したが、無線端末と処理メニューとが対応付いている事が判別できるような範囲ならば、同系色の色や似たようなパターンを用いても良い。
【０１４８】
図２３は、無線端末２００ａが通信許可された場合の様子を示す図である。表示装置１００ｊによって、無線端末２００ａに関連付いた処理メニュー５００ａ２が描画され、無線端末２００ａの上又は近傍に同一のパターンを有する表示オブジェクト５００ａ１が投影されている。図２３では、処理メニュー５００ａ２の外枠の色及びパターンと同様の色及びパターンを有する表示オブジェクト５００ａ１を無線端末２００ａの上又は近傍に投射している。
【０１４９】
図２３の５００ａ２は、処理メニューの一例である。図２３の５００ａ２では、ファイルの転送、画像閲覧、切断というメニューを一例として図示したが、無線端末に関連付いたものならば、どのようなメニュー構成であっても良い。
【０１５０】
なお、本実施形態では、処理メニューの外枠を通信許可端末リストに登録した色、パターンで描画しているが、処理メニュー全体を通信許可端末リストに登録した色、パターンで描画しても良い。また、処理メニューのタイトルバーもしくは処理メニューの一部分だけを通信許可端末リストで登録した色、パターンで描画しても良い。
【０１５１】
図２４は、図２３の状態から、もう一台の無線端末２００ｂが通信許可された場合の様子を示す図である。２００ｂが通信許可されると、表示装置１００ｊは、新たな色及びパターンを無線端末２００ｂに割り当て、処理メニュー５００ｂ２を描画する。その後、同一の色及びパターンを有する表示オブジェクト５００ｂ１を無線端末２００ｂの上又は近傍に投射する。
【０１５２】
上記の処理によって、表示装置１００ｊと通信可能な無線端末が複数存在した場合にも、どの処理メニューがどの無線端末に関連付いているか容易に判別可能となる。すなわち、本実施形態によれば、複数の無線端末に対応付けられたオブジェクトが表示される場合でも、無線端末と表示されているオブジェクトとの対応関係を容易に把握することができる。
【０１５３】
なお、本実施形態では通信許可時に、無線端末に関連付いた処理メニューを描画するものとして説明を行ったが、無線端末内に保存されたファイルを表示するようにしても良い。ファイルを表示する場合も本実施形態と同様に、無線端末とファイルとの関連性が分かるように、同様の色及びパターンで枠などを表示する。また、無線端末内のファイル以外にも、無線端末に関連付いたコンテンツなどを表示するようにしても良い。無線端末に関連付いたコンテンツとは、その無線端末のサポートページや、静止画や動画のアップロードサイトなどの無線端末に関連のあるＷｅｂページ、ヘルプ画面などである。無線端末に関連付いたコンテンツを表示する場合にも、本実施形態と同様に、無線端末とコンテンツとの対応関係が分かるように、無線端末とコンテンツとの両方に、同様の色及びパターンで枠を表示するようにしても良い。
【０１５４】
次に、本発明の第６実施形態に係る表示システムＤＳ２ｊを説明する。以下では、第１実施形態及び第５実施形態と異なる部分を中心に説明する。
【０１５５】
表示システムＤＳ２ｊは、情報処理装置６００ｊを備える。情報処理装置６００ｊは、図２５に示すように、記憶部６１０ｊ、及び制御部６０１ｊを備える。
【０１５６】
記憶部６１０ｊは、処理メニュー描画プログラム６１４ｊを記憶する。処理メニュー描画プログラム６１４ｊは、表示装置１００の投影画面００１上に無線端末が置かれた場合に、無線端末と対応付けた処理メニューを表示するためプログラムである。
【０１５７】
制御部６０１ｊは、通信部４２０による複数の無線端末２００ａ，２００ｂとの間の通信を許可することができる（図２４参照）。
【０１５８】
制御部６０１ｊは、通信部４２０による複数の無線端末２００ａ，２００ｂとの間の通信が許可された場合、次のような動作を行うように、通信部４２０を介して表示装置１００における投影制御部１０４を制御する。制御部６０１ｊは、表示画面００１内に、複数の無線端末２００ａ，２００ｂを識別する複数の第１の表示オブジェクト５００ａ１，５００ｂ１を互いに異なる形態で表示する（図２４参照）ように制御する。それとともに、制御部６０１ｊは、複数の無線端末が関連付けられた複数の第２の表示オブジェクト５００ａ２，５００ｂ２を、それぞれ、関連付けられた無線端末の第１の表示オブジェクトと対応した形態で表示する（図２４参照）ように制御する。なお、上記の第１実施形態〜第６実施形態において、表示装置は、表示画面を有していてもよい。このような表示画面は、例えば、テレビやディスプレイを含む。すなわち、表示装置は、画像データに従って変調された光を投影画面に投影する代わりに、図２６に示すように、タッチパネル機能を含む表示画面００１’を有していてもよい。すなわち、図２６に示す表示装置７００は、図２７に示すように、表示制御部７０４、記憶部７１０、圧力検出部７０５を備える。
【０１５９】
表示制御部７０４は、ＣＰＵ７０１による制御に応じて、液晶パネルの制御、バックライトのＯＮ／ＯＦＦなどの制御を行い、表示画面００１’上に画像を表示する。
【０１６０】
記憶部７１０は、投影サイズ算出プログラムを記憶しておらず、位置検出プログラム７１１を記憶する。位置検出プログラム７１１は、圧力検出部７０５を介して無線端末の位置を検出するためのプログラムである。
【０１６１】
圧力検出部７０５は、例えば、表示画面の裏側に配置された圧力センサーを含む。圧力検出部７０５は、タッチパネル機能を含む表示画面００１’上に物体（無線端末）が触れた際の接触状態の分布、すなわち位置情報を取得することが可能である。
【０１６２】
なお、本実施形態では、圧力センサーを用いてタッチパネル機能を含む表示画面００１’上に物体（無線端末）が触れたことを検出しているが、次の方法を用いて、無線端末による表示画面への接触状態の分布を検出してもよい。例えば、赤外光の反射を用いた方法や、静電容量の変化を検出する方法など、タッチディスプレイで一般的に用いられるその他の接触検出方法を用いても良い。
【図１】
0005421762.tif 000002
【図２】
0005421762.tif 000003
【図３】
0005421762.tif 000004
【図４】
0005421762.tif 000005
【図５】
0005421762.tif 000006
【図６】
0005421762.tif 000007
【図７】
0005421762.tif 000008
【図８】
0005421762.tif 000009
【図９】
0005421762.tif 000010
【図１０】
0005421762.tif 000011
【図１１】
0005421762.tif 000012
【図１２】
0005421762.tif 000013
【図１３】
0005421762.tif 000014
【図１４】
0005421762.tif 000015
【図１５】
0005421762.tif 000016
【図１６】
0005421762.tif 000017
【図１７】
0005421762.tif 000018
【図１８】
0005421762.tif 000019
【図１９】
0005421762.tif 000020
【図２０】
0005421762.tif 000021
【図２１】
0005421762.tif 000022
【図２２】
0005421762.tif 000023
【図２３】
0005421762.tif 000024
【図２４】
0005421762.tif 000025
【図２５】
0005421762.tif 000026
【図２６】
0005421762.tif 000027
【図２７】
0005421762.tif 000028